(57)【特許請求の範囲】
【請求項１】
本体に対して出没自在なるトレイアセンブリと、前記本体に対して開閉自在なると共に前記トレイアセンブリが前記本体内に没したときに該トレイアセンブリを覆うことが可能なるグローブボックスアセンブリとより少なくとも構成されてなる支持装置であって、
前記トレイアセンブリは、前記本体の開口内に保持されてなる支持部材と、該支持部材より前記本体に対して出没自在なると共に適宜の品物を載置可能なる平板状のトレイと、該トレイの両側から支持部材側に突出されてなると共に該トレイを支持部材に支持してなるアームとより少なくとも構成されてなり、
前記トレイには、該トレイが突出した状態で、前記グローブボックスアセンブリの開閉軌跡上に干渉しないような逃げ孔が形成されてなり、
前記アームには、該アームが所定の荷重により折損可能なスリットを、前記本体の表面と前記支持部材との間に形成してなることを特徴とする支持装置。
【請求項２】
本体に対して出没自在なるトレイアセンブリと、前記本体に対して開閉自在なると共に前記トレイアセンブリが前記本体内に没したときに該トレイアセンブリを覆うことが可能なるグローブボックスアセンブリとより少なくとも構成されてなる支持装置であって、
前記トレイアセンブリは、前記本体の開口内に保持されてなる支持部材と、該支持部材より前記本体に対して出没自在なると共に適宜の品物を載置可能なる平板状のトレイと、該トレイの両側から支持部材側に突出されてなると共に該トレイを支持部材に支持してなるアームとより少なくとも構成されてなり、
前記トレイには、該トレイが突出した状態で、前記グローブボックスアセンブリの開閉軌跡上に干渉しないような逃げ孔が形成されてなり、
前記アームには、該アームが所定の荷重により回転落下可能な衝撃吸収手段を、前記本体の表面と前記支持部材との間に形成してなることを特徴とする支持装置。
【請求項３】
請求項２に記載の支持装置であって、
前記本体の開口には、前記アームの回転を所定の位置で停止可能なる段部が形成されてなることを特徴とする支持装置。
【請求項４】
請求項２又は請求項３に記載の支持装置であって、
前記アームは、前記トレイ側より突出されてなる第１アームと、前記支持部材側より突出されてなる第２アームとよりなり、
前記衝撃吸収手段は、前記第１アームと第２アームとが上下回転自在に軸支されてなると共に両アームが所定の荷重に達しない限り外れない嵌合力で係合されてなることを特徴とする支持装置。
【発明の詳細な説明】
【０００１】
【発明の属する技術分野】
この発明は、自動車のインストルメントパネル、家屋の室内の収納物などに設けられてなる支持装置に関する。
【０００２】
【従来の技術】
従来のかかる支持装置としては、例えば、特開２００１−１８０３５８号等があるが、かかる構造によれば、自動車のインストルメントパネル、家屋の室内の収納物などの本体に対して出没自在なるトレイアセンブリと、前記本体に対して開閉自在なると共に前記トレイアセンブリが前記本体内に没したときに該トレイアセンブリを覆うことが可能なるグローブボックスアセンブリとより少なくとも構成されてなるが、トレイアセンブリの使用時には、トレイを没入した状態でグローブボックスアセンブリを覆う関係上、グローブボックスアセンブリを開けた状態にしておかなければならず、グローブボックスアセンブリが邪魔で使いにくい、という問題がある。そこで、実公平５−２５９６１号公報に示すように、グローブボックスアセンブリを閉じた状態でヒンジ機構のみを外側に突出し、該ヒンジ機構にトレイアセンブリを突出させるものが提案されている。
【０００３】
【発明が解決しようとする課題】
しかしながら、このような従来の技術にあっては、トレイアセンブリを使用している状態で、トレイアセンブリに使用者が接触するなど、荷重が加わった場合、その反力を吸収することができる構造でも、反力を逃がす構造でもないので、使用者への反力がおおきくなるおそれがある。
【０００４】
この発明は、このような従来の技術に着目してなされたものであり、トレイアセンブリに使用者が接触するなど、荷重が加わった場合、その反力を吸収或いは逃がすことができる支持装置を提供するものである。
【０００５】
【課題を解決するための手段】
請求項１に記載の発明は、本体に対して出没自在なるトレイアセンブリと、前記本体に対して開閉自在なると共に前記トレイアセンブリが前記本体内に没したときに該トレイアセンブリを覆うことが可能なるグローブボックスアセンブリとより少なくとも構成されてなる支持装置であって、前記トレイアセンブリは、前記本体の開口内に保持されてなる支持部材と、該支持部材より前記本体に対して出没自在なると共に適宜の品物を載置可能なる平板状のトレイと、該トレイの両側から支持部材側に突出されてなると共に該トレイを支持部材に支持してなるアームとより少なくとも構成されてなり、前記トレイには、該トレイが突出した状態で、前記グローブボックスアセンブリの開閉軌跡上に干渉しないような逃げ孔が形成されてなり、前記アームには、該アームが所定の荷重により折損可能なスリットを、前記本体の表面と前記支持部材との間に形成してなる。
【０００６】
請求項１に記載の発明によれば、トレイアセンブリには、トレイが突出した状態で、前記グローブボックスアセンブリの開閉軌跡上に干渉しないような逃げ孔が形成されてなるので、グローブボックスアセンブリを閉じた状態で、トレイアセンブリを使用することができる。また、前記アームには、該アームが所定の荷重により折損可能なスリットを、前記本体の表面と前記支持部材との間に形成してなるため、トレイアセンブリに使用者が接触するなど、荷重が加わった場合、その反力を吸収或いは逃がすことができる。
【０００７】
請求項２に記載の発明は、本体に対して出没自在なるトレイアセンブリと、前記本体に対して開閉自在なると共に前記トレイアセンブリが前記本体内に没したときに該トレイアセンブリを覆うことが可能なるグローブボックスアセンブリとより少なくとも構成されてなる支持装置であって、前記トレイアセンブリは、前記本体の開口内に保持されてなる支持部材と、該支持部材より前記本体に対して出没自在なると共に適宜の品物を載置可能なる平板状のトレイと、該トレイの両側から支持部材側に突出されてなると共に該トレイを支持部材に支持してなるアームとより少なくとも構成されてなり、前記トレイには、該トレイが突出した状態で、前記グローブボックスアセンブリの開閉軌跡上に干渉しないような逃げ孔が形成されてなり、前記アームには、該アームが所定の荷重により回転落下可能な衝撃吸収手段を、前記本体の表面と前記支持部材との間に形成してなる。
【０００８】
請求項２に記載の発明によれば、トレイには、該トレイが突出した状態で、前記グローブボックスアセンブリの開閉軌跡上に干渉しないような逃げ孔が形成されてなるので、グローブボックスアセンブリを閉じた状態で、トレイを使用することができる。また、前記アームには、該アームが所定の荷重により下側に回転落下可能な衝撃吸収手段を、前記本体の表面と前記支持部材との間に形成してなるため、トレイアセンブリに使用者が接触するなど、所定の荷重が加わった場合、その反力を吸収或いは逃がすことができる。
【０００９】
請求項３に記載の発明は、請求項２に記載の支持装置であって、前記本体の開口には、前記アームの回転を所定の位置で停止可能なる段部が形成されてなる。
【００１０】
請求項３に記載の発明によれば、段部により、アームが停止されるので、トレイ自体の回転位置が決まる。
【００１１】
請求項４に記載の発明は、請求項２又は請求項３に記載の支持装置であって、前記アームは、前記トレイ側より突出されてなる第１アームと、前記支持部材側より突出されてなる第２アームとよりなり、前記衝撃吸収手段は、前記第１アームと第２アームとが上下回転自在に軸支されてなると共に両アームが所定の荷重に達しない限り外れない嵌合力で係合されてなる。
【００１２】
請求項４に記載の発明によれば、第１アームと第２アームとが所定の荷重に達しない限り外れない嵌合力で係合されてなるので、トレイを支持する状態を保持できるにもかかわらず、所定の荷重以上の入力の時に、第１アームと第２アームとが折れ曲がることで、衝撃エネルギを吸収できる。
【００１３】
【発明の実施の形態】
以下、この発明の好適な実施形態を図面に基づいて説明する。
【００１４】
図１〜図６は、この発明の第１実施形態を示す図である。支持装置１は、「本体」であるインストルメントパネル４に対して出没自在なるトレイアセンブリ２と、前記インストルメントパネル４に対して開閉自在なると共に前記トレイアセンブリ３が前記インストルメントパネル４内に没したときに該トレイアセンブリ３を覆うことが可能なるグローブボックスアセンブリ２とより少なくとも構成されてなる。
【００１５】
前記トレイアセンブリ３は、前記インストルメントパネル４の開口５内に保持されてなる支持部材２０と、該支持部材２０より前記インストルメントパネル４に対して出没自在なると共に適宜の品物を載置可能なる平板状のトレイ１６と、該トレイ１６の両側から前記支持部材２０側に突出されてなると共に該トレイ１６を支持部材２０に支持してなるアーム１８と、前記トレイ１６の表面側に配設されてなる取っ手１５より少なくとも構成されてなる。この他に、トレイ１６を上下に貫通してカップなどを保持可能なるカップホルダーを設けたり、煙草の灰を受ける灰皿や電子機器の操作手段を設けることも考えられる。また、トレイ１６自体を凹ませて、収納体にしても良い。カップホルダーとしては、この他に、グローブボックスアセンブリから突出させると上側に迫り上がり、カップの横側を保持する機構が配設されているものでも良い。
【００１６】
前記トレイ１６には、該トレイ１６が、図３に示すように、突出した状態で、前記グローブボックスアセンブリ２の開閉軌跡１３上に干渉しないような逃げ孔１７が形成されてなる。前記アーム１８、１８には、該アーム１８，１８が所定の荷重により折損可能なスリット１９を、前記インストルメントパネル４の「表面」であるサイドクラスターリッド６及びセンタークラスターリッド７の面と前記支持部材２０の開口２０ａとの間に形成してなる。符号８は、コンソールボックスである。
【００１７】
前記支持部材２０の開口２０ａは、前記サイドクラスターリッド６及びセンタークラスターリッド７の裏面６ａ、７ａに接触して、図示しない締結手段により保持されてなる。
【００１８】
前記グローブボックスアセンブリ２は、カメラやコンパクトディスクなどを収納可能なると共に上部が開口したバケットタイプのボックス部１０と、該ボックス部１０の表面側を覆う化粧部１１とよりなり、該化粧部１１に配設されてなる取っ手１２を引くことで、図示しないロックが外れ、前記ボックス部１０が下側に落ち込むようになっている。
【００１９】
次に、この第１実施形態の作用を説明する。この第１実施形態では、トレイアセンブリ３には、該トレイアセンブリ３が突出した状態で、前記グローブボックスアセンブリ２の開閉軌跡１３上に干渉しないような逃げ孔１７が形成されてなるので、グローブボックスアセンブリ２を閉じた状態で、トレイアセンブリ３を使用することができる。
【００２０】
また、前記アーム１８，１８には、該アーム１８，１８が所定の荷重により折損可能なスリット１７を、前記インストルメントパネル４のサイドクラスターリッド６及びセンタークラスターリッド７の面と前記支持部材２０の開口２０ａとの間に形成してなるため、トレイアセンブリ３に使用者が接触するなど、所定の荷重が加わった場合、スリット１７が、図６に示すように、折損して、その反力を吸収或いは逃がすことができる。
【００２１】
図７〜図１１は、この発明の第２実施形態を示す図である。支持装置１は、「本体」であるインストルメントパネル４に対して出没自在なるトレイアセンブリ９と、前記インストルメントパネル４に対して開閉自在なると共に前記トレイアセンブリ９が前記インストルメントパネル４内に没したときに該トレイアセンブリ９を覆うことが可能なるグローブボックスアセンブリ２とより少なくとも構成されてなる。
【００２２】
前記トレイアセンブリ９は、前記インストルメントパネル４の開口５内に保持された支持部材２８と、該支持部材２８より前記インストルメントパネル４に対して出没自在なると共に適宜の品物を載置可能なる平板状のトレイ２７と、該トレイ２７の両側から前記支持部材２８側に突出されてなると共に該トレイ２７を支持部材２８に支持してなるアーム２４と、前記トレイ２７の表面側に配設されてなる取っ手１５より少なくとも構成されてなる。前記支持部材２８は、前記サイドクラスタリッド６及びセンタークラスターリッド７に形成されてなるボス３４に、ビス３５により自由端部３３ａが保持されてなるトレイケース３３に、支持されている。この他に、トレイ２７を上下に貫通してカップなどを保持可能なるカップホルダーを設けたり、煙草の灰を受ける灰皿や電子機器の操作手段を設けることも考えられる。また、トレイ２７自体を凹ませて、収納体にしても良い。カップホルダーとしては、この他に、グローブボックスアセンブリから突出させると上側に迫り上がり、カップの横側を保持する機構が配設されているものでも良い。
【００２３】
前記トレイ２７には、該トレイ２７が、図７に示すように、突出した状態で、前記グローブボックスアセンブリ２の開閉軌跡１３上に干渉しないような逃げ孔１７が形成されてなる。前記アーム２４には、該アーム２４が所定の荷重により回転落下可能な衝撃吸収手段４０を、前記インストルメントパネル４の「表面」であるサイドクラスターリッド６及びセンタークラスターリッド７の面と前記支持部材２８との間に形成してなる。前記インストルメントパネル４の開口５には、前記アーム２４の回転を所定の位置で停止可能なる段部３９が形成されてなる。
【００２４】
前記アーム２４は、前記トレイ２７側より突出されてなる第１アーム２５と、前記支持部材２８側より突出されてなる第２アーム２６とよりなる。
【００２５】
前記衝撃吸収手段４０は、前記第１アーム２５及び第２アーム２６それぞれに形成されてなる貫通穴３８を挿通してなるピン３６及びはとめ３７とにより上下回転自在に軸支されてなると共に第１切り欠き３１及び第２切り欠き３２に形成した凸部２９及び凹部３０により両アーム２５，２６が所定の荷重に達しない限り外れない嵌合力で係合されてなる。
【００２６】
前記グローブボックスアセンブリ２は、カメラやコンパクトディスクなどを収納可能なると共に上部が開口したバケットタイプのボックス部１０と、該ボックス部１０の表面側を覆う化粧部１１とよりなり、該化粧部１１に配設されてなる取っ手１２を引くことで、図示しないロックが外れ、前記ボックス部１０が下側に落ち込むようになっている。
【００２７】
次に、この第２実施形態の作用を説明する。この第２実施形態では、トレイアセンブリ９には、該トレイアセンブリ９が突出した状態で、前記グローブボックスアセンブリ２の開閉軌跡１３上に干渉しないような逃げ孔１７が形成されてなるので、グローブボックスアセンブリ２を閉じた状態で、トレイアセンブリ３を使用することができる。
【００２８】
また、前記アーム２４、２４には、該アーム２４，２４が所定の荷重により下側に回転落下可能な衝撃吸収手段４０を、前記インストルメントパネル４のサイドクラスターリッド６及びセンタークラスターリッド７の面と前記支持部材２８との間に形成してなるため、トレイアセンブリ９に使用者が接触するなど、所定の荷重が加わった場合、その反力を吸収或いは逃がすことができる。
【００２９】
前記インストルメントパネル４の開口５には、前記アーム２４，２４の第１アーム２５の回転を所定の位置で停止可能なる段部３９が形成されてなるので、段部３９により、アーム２４，２４の第１アーム２５が停止されるので、トレイ２７自体の回転位置が決まる。
【００３０】
前記アーム２４は、前記トレイ２７側より突出されてなる第１アーム２５と、前記支持部材２８側より突出されてなる第２アーム２６とよりなり、前記衝撃吸収手段４０は、前記第１アーム２５と第２アーム２６とが上下回転自在に軸支されてなると共に両アーム２５，２６が所定の荷重に達しない限り外れない嵌合力で係合されてなるので、トレイ２７を支持する状態を保持できるにもかかわらず、所定の荷重以上の入力の時に、第１アーム２５と第２アーム２６とが折れ曲がることで、衝撃エネルギを吸収できる。
【図面の簡単な説明】
【図１】この発明の第１実施形態に係る支持装置を含む本体の斜視図。
【図２】図１のグローブボックスアセンブリが開いた状態を示す斜視図。
【図３】図２のトレイアセンブリを引いた状態を示す斜視図。
【図４】図３のトレイアセンブリを引いた状態でグローブボックスアセンブリを閉じた状態を示す斜視図。
【図５】図４のＳＡ−ＳＡ線に沿った断面図。
【図６】図４の状態で乗員による荷重が加えられてアームが折損した状態を示す作用説明用斜視図。
【図７】この発明の第２実施形態に係る支持装置を含む本体の図４相当斜視図。
【図８】図７のＳＢ−ＳＢ線に沿った断面図。
【図９】図８のアームの分解斜視図。
【図１０】図７の状態で乗員による荷重が加えられてアームが回転した状態を示す作用説明用斜視図。
【図１１】図１０の側面図。
【符号の説明】
１  支持装置
２  グローブボックスアセンブリ
３、９  トレイアセンブリ
４  「本体」であるインストルメントパネル
５  インストルメントパネルの開口
１３  開閉軌跡
１６、２７  トレイ
１７  逃げ孔
１８、２４  アーム
１９  スリット
２０、２８  支持部材
２５  第１アーム
２６  第２アーム
２９  凸部
３０  凹部
３９  段部
４０  衝撃吸収手段
【図１】
0004271885.tif 000002
【図２】
0004271885.tif 000003
【図３】
0004271885.tif 000004
【図４】
0004271885.tif 000005
【図５】
0004271885.tif 000006
【図６】
0004271885.tif 000007
【図７】
0004271885.tif 000008
【図８】
0004271885.tif 000009
【図９】
0004271885.tif 000010
【図１０】
0004271885.tif 000011
【図１１】
0004271885.tif 000012